(57)【要約】  複数のスイッチを含む加熱調理器において、加熱調理器の機能の一部しか必要としない使用者にとっても使い勝手のいい加熱調理器を提供する。  加熱調理器は、加熱動作を制御する制御モードを選択する制御モードスイッチ（６ａ、６ｃ、６ｄ、６ｇ）と、各制御モードにおいて設定値を選択する設定スイッチ（６ｂ、６ｅ、６ｆ）と、制御モードスイッチ及び設定スイッチから入力される制御モード及び設定値に基づいて加熱部（３）を制御する加熱制御部（１０）と、操作モードを選択する切替えスイッチ（８ａ）と、を備え、操作モードは、複数の制御モードの全てを選択可能に設定する第１の操作モードと、一部の制御モードのみを選択可能に設定する第２の操作モードと、含み、加熱制御部は、切替えスイッチで選択された操作モードで選択可能に設定される制御モードに必要な制御モードスイッチ及び設定スイッチのみを使用可能に設定する。
2009011130.tif 000002
【特許請求の範囲】
【請求項１】
外郭を構成する本体と、
前記本体の上面に設けた天板と、
前記本体上面に載置された被加熱物を加熱する加熱部と、
前記加熱部の加熱動作を制御する複数の制御モードのうちのひとつを選択する、少なくとも１つの制御モードスイッチと、
前記各制御モードにおいて、設定値を選択する、少なくとも１つの設定スイッチと、
前記制御モードスイッチ及び前記設定スイッチから入力される前記制御モード及び前記設定値に基づいて、前記加熱部を制御する加熱制御部と、
複数の操作モードの中からいずれかの操作モードを選択するための切替えスイッチと、を備え、
前記操作モードは、前記複数の制御モードの全てを選択可能に設定する第１の操作モードと、前記複数の制御モードのうち、一部の制御モードのみを選択可能に設定する第２の操作モードとを、含み、
前記加熱制御部は、前記切替えスイッチで選択された前記操作モードで選択可能に設定される制御モードに必要な制御モードスイッチ及び設定スイッチのみを使用可能に設定する加熱調理器。
【請求項２】
前記第２の操作モードにおいて使用可能な制御モードスイッチ及び設定スイッチと使用不可能な制御モードスイッチ及び設定スイッチとを区別して報知する第１の報知部をさらに有する、請求項１に記載の加熱調理器。
【請求項３】
前記第２の操作モードにおいて使用可能な、制御モードスイッチ及び設定スイッチは、少なくとも他のひとつの使用可能な、制御モードスイッチまたは設定スイッチと隣同士に配置されている、請求項１に記載の加熱調理器。
【請求項４】
前記第１の操作モードで動作中か前記第２の操作モードで動作中かを報知する第２の報知部をさらに有し、
前記使用不可能な制御モードスイッチまたは設定スイッチが操作されると、前記第１の報知部又は前記第２の報知部の少なくともいずれかが、操作された前記制御モードスイッチまたは設定スイッチが使用不可能であることを報知する、請求項２に記載の加熱調理器。
【請求項５】
前記切替えスイッチの操作は、前記制御モードスイッチ及び前記設定スイッチの操作よりも受け付けにくくする、請求項１に記載の加熱調理器。
【請求項６】
前記切替えスイッチは電気接点を有する開閉式スイッチであり、前記制御モードスイッチ及び前記設定スイッチは静電容量式タッチスイッチである、請求項１に記載の加熱調理器。
【請求項７】
オフ状態で全ての操作ができなくなり、オン状態で少なくともひとつのスイッチが操作可能となる電源スイッチを備え、
前記電源スイッチがオン状態のとき前記切替えスイッチにより選択されている前記操作モードを記憶する不揮発性メモリをさらに有し、
前記電源スイッチをオフからオンにすると記憶された前記操作モードで動作する、請求項１に記載の加熱調理器。
【発明の詳細な説明】
【技術分野】
【０００１】
本発明は、調理容器を加熱する加熱調理器に関する。特に、複数の操作スイッチを備えて、加熱調理を制御する加熱調理器に関する。
【背景技術】
【０００２】
加熱調理器には、外郭を構成する本体の前面に操作部を設けたものや、調理容器が載置されるトッププレート上に操作部を設けたものがある。また、トッププレート上と本体の前面の両方に操作部を設けたものもある（例えば、特許文献１参照）。操作部は、各々が所定の機能を割り当てられた複数のスイッチにより構成されている。
【特許文献１】特開２００３−２０８９７２号公報
【発明の開示】
【発明が解決しようとする課題】
【０００３】
近年、加熱調理器に設けられる機能の数が増加してきている。例えば、調理時間を設定するタイマー機能や、湯沸かしや炊飯などを自動で調理する自動調理機能などの機能が、新たに加熱調理器に設けられてきている。これらの各機能は、スイッチにそれぞれ割り当てられており、機能の数の増加に伴い、スイッチの数も増加している。機器の多機能化によりスイッチの数が増えると、操作が複雑になり、全ての機能を必要としないユーザにとっては、目的の操作を行うことが難しくなる。そのため、ユーザの誤操作が増えるという問題があった。このような問題は、特に、多くの機能を必要としない又は十分に使いこなせない使用者にとって重大である。【０００４】
本発明は上記従来の課題を解決するものであって、複数のスイッチを含む加熱調理器において、加熱調理器の機能の一部しか必要としない使用者にとっても使い勝手のいい加熱調理器を提供することを目的とする。
【課題を解決するための手段】
【０００５】
本発明の加熱調理器は、外郭を構成する本体と、本体の上面に設けた天板と、本体上面に載置された被加熱物を加熱する加熱部と、加熱部の加熱動作を制御する複数の制御モードのうちのひとつを選択する、少なくとも１つの制御モードスイッチと、各制御モードにおいて、設定値を選択する、少なくとも１つの設定スイッチと、制御モードスイッチ及び設定スイッチから入力される制御モード及び設定値に基づいて、加熱部を制御する加熱制御部と、複数の操作モードの中からいずれかの操作モードを選択するための切替えスイッチと、を備え、操作モードは、複数の制御モードの全てを選択可能に設定する第１の操作モードと、複数の制御モードのうち、一部の制御モードのみを選択可能に設定する第２の操作モードと、を含み、加熱制御部は、切替えスイッチで選択された操作モードで選択可能に設定される制御モードに必要な制御モードスイッチ及び設定スイッチのみを使用可能に設定する。これにより、複雑な操作を使いこなして多くの機能を使用しようとするユーザと、単純な機能しか使用しないで簡単な操作を望むユーザと、の両方に対して、簡単に切り替えて対応できる加熱調理器を提供することが可能となる。【０００６】
上記加熱調理器は、第２の操作モードにおいて使用可能な制御モードスイッチ及び設定スイッチと使用不可能な制御モードスイッチ及び設定スイッチとを区別して報知する第１の報知部をさらに有してもよい。これにより、どのスイッチが操作可能であるかをユーザに知らせることができる。例えば、スイッチそのものを点灯させたり、消灯させたりして、使用可能な制御モードスイッチ及び設定スイッチと使用不可能な制御モードスイッチ及び設定スイッチとを区別して報知してもよい。【０００７】
第２の操作モードにおいて使用可能な制御モードスイッチ及び設定スイッチは、少なくとも他のひとつの使用可能な制御モードスイッチまたは設定スイッチと隣同士に配置されていることが好ましい。これにより、使用者は、操作可能な制御モードスイッチ及び設定スイッチと、操作不可能な制御モードスイッチ及び設定スイッチとの判別をし易くなる。【０００８】
第１の操作モードで動作中か第２の操作モードで動作中かを報知する第２の報知部をさらに有し、使用不可能な制御モードスイッチまたは設定スイッチが操作されると、第１の報知部又は第２の報知部の少なくともいずれかが、操作された制御モードスイッチまたは設定スイッチが使用不可能であることを報知してもよい。これにより、使用者が操作不可の制御モードスイッチまたは設定スイッチを誤って操作した時に、誤りであることを使用者に知らせることができる。【０００９】
切替えスイッチの操作は、制御モードスイッチ及び設定スイッチの操作よりも受け付けにくくしてもよい。これにより、使用者が他のスイッチを操作中に、誤って切替えスイッチに触れたときでも、容易に操作モードが変更されないようにすることができる。【００１０】
切替えスイッチは電気接点を有する開閉式スイッチであり、制御モードスイッチ及び設定スイッチは静電容量式タッチスイッチであってもよい。これにより、使用者が他のスイッチを操作中に、誤って切替えスイッチに触れたときでも、容易に操作モードが変更されないようにすることができる。【００１１】
オフ状態で全ての操作ができなくなり、オン状態で少なくともひとつのスイッチが操作可能となる電源スイッチを備え、電源スイッチがオン状態のとき切替えスイッチにより選択されている操作モードを記憶する不揮発性メモリをさらに有し、電源スイッチをオフからオンにすると記憶された操作モードで動作するようにしてもよい。これにより、機器の主電源を切った後も操作モードを記憶することができ、次に主電源を入れたときに、前回設定していた操作モードで起動することができる。
【発明の効果】
【００１２】
本発明によれば、操作モードを切り替える切替えスイッチを設けているため、ユーザは、全ての制御モードを使用できる第１の操作モードと一部の制御モードのみを使用できる第２の操作モードとを選択することが可能となる。これにより、一つの加熱調理器で、全ての機能を使用したいユーザには第１の操作モードで全ての制御モードを提供し、一部の機能のみしか使用しないユーザには第２の操作モードで一部の制御モードのみを提供することが可能となる。よって、複数のスイッチを含む加熱調理器であっても、一部の機能しか必要としないユーザには、切替えスイッチでの切替え操作で、選択可能な制御モードの種類及び操作可能なスイッチの数を低減することができる。これにより、多くの機能を必要としない又は十分に使いこなせない使用者の誤操作を防ぐことができ、このような使用者にとっても使い勝手がよくなる。
【図面の簡単な説明】
【００１３】
【図１】本発明の実施形態１及び２における加熱調理器の全体構造図
【図２】本発明の実施形態１及び２における天面操作部及び天面表示部を示す図
【図３】本発明の実施形態１及び２における前面操作部及び前面表示部を示す図
【図４】本発明の実施形態１の加熱調理器を示すブロック図
【図５】本発明の実施形態１及び２における電源投入後のフルモードの表示例を示す図
【図６】本発明の実施形態１及び２におけるフルモードでの加熱中の表示例を示す図
【図７】本発明の実施形態１及び２における電源投入後のシンプルモードの表示例を示す図
【図８】本発明の実施形態１及び２におけるシンプルモードでの加熱中の表示例を示す図
【図９】本発明の実施形態２の加熱調理器を示すブロック図
【図１０】本発明の実施形態１及び２における電源投入後のシンプルモードの他の表示例を示す図
【符号の説明】
【００１４】
１      本体
２      トッププレート（天板）
３      加熱部
４      調理容器（被加熱物）
６      天面操作部
６ａ    ロック解除スイッチ（制御モードスイッチ）
６ｂ    タイマースイッチ（設定スイッチ、制御モードスイッチ）
６ｃ    自動スイッチ（制御モードスイッチ）
６ｄ    揚物切／入スイッチ（制御モードスイッチ）
６ｅ    ダウンスイッチ（設定スイッチ）
６ｆ    アップスイッチ（設定スイッチ）
６ｇ    加熱切／入スイッチ（制御モードスイッチ）
７      天面表示部
８      前面操作部
８ａ    切替えスイッチ
９      前面表示部
１０    加熱制御部
１５    電源スイッチ
【発明を実施するための最良の形態】
【００１５】
以下、本発明の実施形態について、図面を参照しながら説明する。なお、本実施形態によって、本発明が限定されるものではない。【００１６】
（実施形態１）
図１に、本発明の実施形態１の加熱調理器の構成を示す。図１の加熱調理器において、外郭を構成する本体１の上面には、天板である結晶化セラミック製のトッププレート２が配設されている。本体１内のトッププレート２の下方には、トッププレート２上に載置された被加熱物である調理容器４を加熱する加熱部３が配置されている。加熱部３は、図１では、３つ設けられている。これらの加熱部３は、誘導加熱によって調理容器４を加熱する誘導加熱コイルと、誘導加熱には適さない鍋を加熱するラジエントヒータとによりそれぞれ構成されている。また、トッププレート２の表面上には、調理容器４を載置する場所を使用者に示すための加熱表示部５が加熱部３に対向した位置に設けられている。なお、例えば、ガス調理器であれば、機器の上面を形成するトッププレート２に貫通穴を設け、ガスバーナーをその貫通穴の部分に配設して加熱部としてもよい。この場合には、被加熱物は、本体上面を形成するガスバーナーに載置される。【００１７】
トッププレート２と略同一面には、加熱部３の加熱開始及び停止などの指令が割り当てられたスイッチを有する天面操作部６が設けられている。また、トッププレート２上には天面操作部６の操作に応じて各種状態を表示する天面表示部７が設けられている。天面表示部７は、液晶及びＬＥＤ等により、各種状態を使用者に知らせる報知部である。例えば、天面表示部７は、操作不可に設定しているスイッチが操作されたときに、そのスイッチが操作できないことを、ＬＥＤの点滅等により、使用者に知らせる。【００１８】
本体１の前面には、開閉収納式の前面操作部８と、前面操作部８の操作に応じて各種状態を表示する前面表示部９が設けられている。前面表示部９は、液晶及びＬＥＤ等により、各種状態を使用者に知らせる報知部である。【００１９】
図２に、トッププレート２上に設けられた天面操作部６及び天面表示部７を示す。天面操作部６は、トッププレート２の裏面に電極を設け、その電極に高周波電圧を加えることにより、トッププレート２表面に触れることでスイッチ操作を行う静電容量式のタッチスイッチを形成する。天面操作部６は、加熱調理器の制御モードを天面操作部６内のスイッチ６ｂ〜６ｇのスイッチ操作を可能な制御モードに変更する機能が割り当てられたロック解除スイッチ６ａ、加熱モードにおいて調理時間（設定値）を設定すると同時にタイマーモードに移行するためのタイマースイッチ６ｂ、湯沸かし及び炊飯を自動で行う制御モードを選択する機能が割り当てられた自動スイッチ６ｃ、揚げ物調理モードを選択する時に使用される揚物切／入スイッチ６ｄ、火力や温度（設定値）を下げるためのダウンスイッチ６ｅ、火力や温度（設定値）を上げるためのアップスイッチ６ｆ、及び停止モードから加熱モードに変更するとともに加熱モードから停止モードに変更する加熱切／入スイッチ６ｇを含む。【００２０】
本実施形態の加熱調理器は、ロック解除モード、タイマーモード、自動調理モード、揚げ物モード、及び加熱モードを含む制御モードを有し、ロック解除スイッチ６ａ、自動スイッチ６ｃ、揚物切／入スイッチ６ｄ、及び加熱切／入スイッチ６ｇは、制御モードを選択する制御モードスイッチに相当する。タイマースイッチ６ｂ、ダウンスイッチ６ｅ、及びアップスイッチ６ｆは、各制御モードにおいて、設定値を選択する設定スイッチである。なお、タイマースイッチ６ｂは、上記のように設定スイッチであると同時に、タイマーモードに移行するための制御モードスイッチを兼ねている。このように、設定スイッチと制御モードスイッチを兼用させるようにしても良い。【００２１】
図３に、本体１の前面に設けられた前面操作部８及び前面表示部９を示す。前面操作部８は、加熱調理器の全ての機能を使用可能にする第１の操作モード（以下、「フルモード」ともいう。）と、使用可能な機能を制限する第２の操作モード（以下、「シンプルモード」ともいう。）と、を切り替える切替えスイッチ８ａを含む。フルモードでは、全ての制御モードが選択可能に設定され、天面操作部６の全てのスイッチ６ａ〜６ｇが使用可能に設定される。シンプルモードでは、制御モードのうちの加熱モードのみが選択可能に設定され、加熱モードで使用されるダウンスイッチ６ｅ、アップスイッチ６ｆ、及び加熱切／入スイッチ６ｇのみが使用可能に設定される。【００２２】
図４に、本実施形態の加熱調理器の構成をブロック図で示す。本実施形態の加熱調理器は、加熱部３を制御するとともに、切替えスイッチ８ａの操作に基づいて使用可能な制御モードの数を切り替える加熱制御部１０を有する。加熱制御部１０は、天面操作部６と前面操作部８のスイッチ操作に基づいて、加熱部３を制御する。加熱制御部１０は、切替えスイッチ８ａによって選択されている操作モードに応じて、天面操作部６で選択可能な制御モードを設定し、さらに、その制御モードの実行に必要な設定スイッチのみを操作可能とするように切り替えると共に、天面表示部７において操作可能な制御モードスイッチ及び設定スイッチを表示し、前面表示部９において現在選択されている操作モードを示す表示を行うように、切り替える。【００２３】
本実施形態においては、切替えスイッチ８ａが３秒間以上押し続けられると、加熱制御部１０は、切替えスイッチ８ａの操作を受け付けて、フルモードからシンプルモード、又はシンプルモードからフルモードに切り替える。天面操作部６及び前面操作部８に含まれる切替えスイッチ８ａ以外のスイッチについては、１秒間以上押し続けられたときに、加熱制御部１０はそのスイッチの操作を受け付ける。【００２４】
図５（ａ）に電源スイッチ１５投入時の天面操作部６及び天面表示部７の状態を示し、図５（ｂ）に電源スイッチ１５投入時の前面操作部８及び前面表示部９の状態を示す。加熱調理器は、電源スイッチ１５が投入されると、加熱調理器の全ての制御モードが選択可能なフルモードで起動する。このとき、ロック解除モード、タイマーモード、自動調理モード、揚げ物モード、加熱モードは全て選択可能に設定され、天面表示部７の全てのスイッチ６ａ〜６ｇは使用可能に設定され、図５（ａ）に示すように、天面表示部７の全てのスイッチの上部に、発光素子による表示５０を行い、全てのスイッチ６ａ〜６ｇが操作可能であることを示す。このとき、図５（ｂ）に示すように、前面表示部９にフルモードであることを示す「Ｆモード」の文字が表示される。【００２５】
フルモードが選択されているときにおける、調理容器４の加熱を開始する操作（加熱モードを開始する操作）は、ロック解除スイッチ６ａを操作し（手順１）、加熱切／入スイッチ６ｇを操作する（手順２）、という手順で行われる。前面操作部８の切替えスイッチ８ａが操作されてシンプルモードが選択されていないときは、ロック解除スイッチ６ａが使用可能な状態であるため、加熱制御部１０は、ロック解除スイッチ６ａの操作を受け付けた後、加熱切／入スイッチ６ｇの操作を受け付けたときに、加熱部３を制御して、加熱を開始する。【００２６】
図６（ａ）に、フルモードにおいて加熱モードが選択されて加熱中である場合の天面操作部６及び天面表示部７の状態を示し、図６（ｂ）にフルモードにおいて加熱モードが選択されて加熱中である場合の前面操作部８及び前面表示部９の状態を示す。加熱中は、天面表示部７に、火力設定値７ｂとタイマー設定時間７ａが表示される。フルモードにおいて、加熱モードが選択されて加熱される場合、ダウンスイッチ６ｅ（設定スイッチ）とアップスイッチ６ｆ（設定スイッチ）の操作による火力設定値の選択機能と、タイマースイッチ６ｂ（設定スイッチ）による調理タイマーの時間設定値の選択機能と、加熱切／入スイッチ６ｇ（制御モードスイッチ）による加熱の停止機能とが、利用可能となる。操作可能なスイッチ６ａ、６ｂ、６ｅ、６ｆ、６ｇの上部の天面表示部７には、発光素子による表示５０を行う。表示５０のないスイッチ６ｃ及び６ｄが操作されたとしても、制御部１０はその操作を受け付けない。このように、フルモードでは、選択されている制御モード（図６の場合、加熱モード）に応じて、使用可能な制御モードスイッチ及び設定スイッチと使用不可能な制御モードスイッチ及び設定スイッチとを区別して報知する。【００２７】
表示５０のないスイッチが１秒間以上操作された場合は、天面表示部７により操作したスイッチが操作不可であることをユーザに知らせる。例えば、天面表示部７は、使用不可能なスイッチが操作されたときに、その操作されたスイッチに対応する表示５０を所定時間、点滅させる。【００２８】
図７（ａ）に電源投入後シンプルシンプルモードに切り替えられたときの天面操作部６及び天面表示部７の状態を示し、図７（ｂ）に電源投入後シンプルシンプルモードに切り替えられたときの前面操作部８及び前面表示部９の状態を示す。電源投入後、前面操作部８の切替えスイッチ８ａが操作されると、加熱調理器はフルモードからシンプルモードに移行する。シンプルモードのときは、加熱モードのみ選択可能とし、加熱モードで使用するダウンスイッチ６ｅ、アップスイッチ６ｆ、及び加熱切／入スイッチ６ｇのみを使用可能とし、これらのスイッチ６ｅ、６ｆ、６ｇの上部に発光素子により、使用可能であることを示す表示５０を行う。これにより、表示５０のないスイッチ６ａ、６ｂ、６ｃ、６ｄは操作できないことを示す。このように、シンプルモードにおいても、使用可能な制御モードスイッチ及び設定スイッチと使用不可能な制御モードスイッチ及び設定スイッチとを区別して報知する。更に、シンプルモードのときは、前面表示部９にシンプルモードであることを示す「Ｓモード」の文字を表示する。【００２９】
図７（ａ）に示すように、シンプルモードのときに操作が有効となるダウンスイッチ６ｅ、アップスイッチ６ｆ、及び加熱切／入スイッチ６ｇは、少なくとも１つの、操作が有効となるスイッチと隣合わせに配置されている。これにより、使用者は、操作可能な制御モードスイッチ及び設定スイッチと、操作不可能な制御モードスイッチ及び設定スイッチの判別をし易くなる。【００３０】
シンプルモードのときの、調理容器４の加熱を開始する操作（加熱モードを開始する操作）は、加熱切／入スイッチ６ｇを操作する（手順１）のみによって行われる。シンプルモードのときは、加熱制御部１５は、ロック解除スイッチ６ａを使用不可能に設定しているため、加熱制御部１０は、加熱切／入スイッチ６ｇの操作を受け付けると、すぐに加熱部３を制御して加熱を開始する。シンプルモードでは、ロック解除スイッチ６ａは使用不可能に設定しているため、例えば加熱切／入スイッチ６ｇの操作の前にロック解除スイッチ６ａの操作が行われても、加熱制御部１０は、ロック解除スイッチ６ａの操作を受け付けず、天面表示部７は何も変化しない。【００３１】
図８（ａ）に、シンプルモードにおいて加熱モードが選択されて加熱中の天面操作部６及び天面表示部７の状態を示し、図８（ｂ）にシンプルモードにおいて加熱モードが選択されて加熱中の前面操作部９及び前面表示部８の状態を示す。シンプルモードのとき、加熱中は、天面表示部７に火力設定値７ｂを表示する。シンプルモードでは、タイマー機能が使用できないため、図６（ａ）に示すタイマー設定時間７ａは表示されない。シンプルモードにおける加熱時は、ダウンスイッチ６ｅ、アップスイッチ６ｆの操作による火力の調節機能と、加熱切／入スイッチ６ｇによる加熱の停止機能とが利用可能となる。操作可能なスイッチの上部の天面表示部７には、発光素子による表示５０を行う。加熱制御部１０は、表示５０のないスイッチを操作しても、操作を受け付けない。【００３２】
このように、本実施形態では、切替えスイッチ８ａの操作により、選択可能な制御モードの数を変え、その制御モードに必要なスイッチのみを使用可能としている。よって、加熱を開始する操作手順も選択された操作モードに応じて変化する。【００３３】
以上により、全ての機能を使用したいユーザは、電源投入後切替えスイッチ８ａを操作せず、前面表示部９に「Ｆモード」と表示された状態で操作を行うことで、使用できるスイッチの数が多いまま、多くの機能を利用できる状態で、加熱を行うことができる。【００３４】
全ての機能を使用する必要がなく、簡単な操作で加熱を行いたいユーザは、切替えスイッチ８ａを操作して、前面表示部７に「Ｓモード」と表示された状態で操作を行うことで、使用できるスイッチの数を減らし、より簡単な操作によって、加熱や火力の調節を行うことができる。【００３５】
このように同一の機器であっても、選択可能な制御モードの数を変更し、その制御モードに必要なスイッチのみを使用可能とすることにより、操作手順を簡略化したり、簡略化をやめ元に戻したりする変更を容易に行うことができる。よって、複雑な操作に耐えられるユーザは多くの機能を利用できるようにしつつ、複雑な操作ができないユーザには簡単な操作手順を提供することが可能となる。これにより、十分に使いこなせない使用者の誤操作を防止でき、加熱調理器の機能の一部しか必要としない使用者にとっても使い勝手のいい加熱調理器を実現できる。【００３６】
また、操作不可に設定しているスイッチが操作されたときに、天面表示部７により使用者に知らせることにより、正しい操作を促すことができる。【００３７】
さらに、シンプルモードにおいて、操作可能なスイッチは少なくとも他の操作可能なスイッチと隣り合うように配置したことにより、使用可能な複数のスイッチがグループ化され、使用者は操作可能なスイッチと操作不可能なスイッチとをより簡単に区別することができるようになる。よって、操作がし易くなる。【００３８】
また、切替えスイッチ８ａの操作の受け付けに要する時間（３秒）を、天面操作部６のスイッチ６ａ〜６ｇの操作の受け付けに要する時間（１秒）より、長くしたことにより、切替えスイッチ８ａの操作は、制御モードスイッチ６ａ、６ｃ、６ｄ、６ｇ及び設定スイッチ６ｂ、６ｅ、６ｆの操作よりも受け付けにくくなる。これにより、不用意に切替えスイッチ８ａが操作されることを防ぐことができる。よって、ユーザが知らないうちに切替えスイッチ８ａを操作してしまうことを防ぐことができる。【００３９】
なお、本実施形態では、スイッチの受付に要する時間を、天面操作部６のスイッチ６ａ〜６ｇと切替えスイッチ８ａとについて、１秒間と３秒間にそれぞれ設定したが、この時間は本実施形態に限定されない。また、スイッチの受付に要する操作回数についても任意に設定できる。例えば、スイッチを一定時間内で複数回操作されたときに、スイッチに割り当てられた機能を実行してもよい。この場合に、切替えスイッチ８ａの一定時間内における受け付けに要する操作回数（例えば２回）を、天面操作部６のスイッチ６ａ〜６ｇの受け付けに要する操作回数（例えば１回）より多くすることにより、切替えスイッチ８ａの操作を、制御モードスイッチ６ａ、６ｃ、６ｄ、６ｇ及び設定スイッチ６ｂ、６ｅ、６ｆの操作より受付け難くすることができる。また、切替えスイッチ８ａと他のスイッチとを同時に操作した場合に、他のスイッチを受付け、切替えスイッチ８ａを受付けないようにすることで、切替えスイッチ８ａを他のスイッチより受付け難くすることができる。【００４０】
なお、本実施形態においては、天面表示部７が、操作不可に設定しているスイッチが操作されたときに、そのスイッチが操作できないことを使用者に知らせたが、天面表示部７に代えて、前面表示部９が、スイッチが操作できないことを使用者に知らせてもよい。【００４１】
切替えスイッチ８ａの操作は、いつでも行えるようにしても良いし、操作可能なタイミングを制限してもよい。例えば、電源投入後の所定時間内にのみ、操作できるようにしてもよい。【００４２】
また、本実施形態では、切替えスイッチ８ａによって、フルモードからシンプルモードへの切り替えとシンプルモードからフルモードへの切り替えとを可能にしたが、切替えスイッチ８ａの操作によってフルモードからシンプルモードへの切り替えのみを可能とし、加熱調理器の電源を入れるたびに、フルモードに戻るようにしてもよい。【００４３】
なお、本実施形態では、加熱調理器は、フルモードとシンプルモードの二つの操作モードを有していたが、操作モードは３つ以上あってもよい。それぞれの操作モードに応じて、使用可能な機能を設定してもよい。【００４４】
（実施形態２）
図９に、実施形態２の加熱調理器の構成を示す。実施形態１の加熱調理器は、電源投入時はフルモードで起動したが、実施形態２の加熱調理器は記憶していた操作モード（すなわち、前回設定されていた操作モード）で起動する。【００４５】
本実施形態の加熱調理器は、実施形態１の構成に加え、加熱制御部１０と通信を行う不揮発性メモリ１１をさらに有する。不揮発性メモリ１１は、加熱調理器がシンプルモードで動作中か、フルモードで動作中かを記憶する。【００４６】
本実施形態では、加熱調理器の主電源がユーザによって切られるときに、加熱制御部１０は不揮発性メモリ１１に、機器の動作状態（フルモード又はシンプルモードを示す動作状態）を記録する。次に、加熱調理器の主電源が入れられると、加熱制御部１０は、不揮発性メモリ１１から電源スイッチ１５を切る前の機器の状態を読み込む。読み込んだ状態が、例えばシンプルモードであれば、図７に示すように、ダウンスイッチ６ｅ、アップスイッチ６ｆ、加熱切／入スイッチ６ｇの上部の天面表示部７に発光素子による表示５０を行って、ダウンスイッチ６ｅ、アップスイッチ６ｆ、加熱切／入スイッチ６ｇのみが操作可能であることを示し、それ以外のスイッチは操作できないことを示す。更に、前面表示部９に「Ｓモード」と表示する。【００４７】
このように、本実施形態においては、加熱調理器の電源スイッチ１５を切っても、切る前の操作モードが記憶されるため、電源投入後に、毎回、切替えスイッチ８ａを操作する手間が省ける。【００４８】
なお、実施形態１及び実施形態２においては、使用可能なスイッチを表示５０によって示したが、天面操作部６は、全ての複数のスイッチ６ａ〜６ｇに対応したバックライトを各スイッチの下方に備え、使用可能なスイッチのみを報知するようにしてもよい。この場合における電源投入後のシンプルモードの表示例を図１０に示す。使用可能なスイッチ６ｅ、６ｆ、６ｇの下方に設けたバックライトを点灯することにより、スイッチ６ｅ、６ｆ、６ｇのみを表示し、使用不可能なスイッチ６ａ、６ｂ、６ｃ、６ｄの下方に設けたバックライトを消灯することにより、スイッチ６ａ、６ｂ、６ｃ、６ｄを消灯してもよい。この構成にすれば、使用者が誤って、使用不可能なスイッチを操作することがない。【００４９】
また、実施形態１及び実施形態２においては、自動スイッチ６ｃ、揚物切／入スイッチ６ｄ、加熱切／入スイッチ６ｇを、制御モードスイッチとして個別に設けたが、この構成に限定されない。例えば、制御モードスイッチとして「メニュースイッチ」（図示せず）を設けて、当該スイッチを操作するごとに選択される制御モードがローテーションして変更される構成とし、選択後に加熱切／入りスイッチを操作して加熱開始させてもよい。このように、制御モードを移行させるのに２つ以上の制御モードスイッチを操作させるようにしてもよい。【００５０】
なお、実施形態１及び実施形態２においては、加熱部３が加熱コイルで構成された誘導加熱調理器で説明したが、この種の加熱調理器に限定されるものではない。加熱部をラジエント方式、ハロゲンランプ方式、またはガス方式とした加熱調理器でもよい。
【産業上の利用可能性】
【００５１】
本発明の加熱調理器は、多機能で多スイッチを有する機器において、基本的な機能しか使用しないユーザが使用し易くなるという効果を有するため、多機能で多スイッチを有する機器等に有用である。
【図１】
2009011130.tif 000003
【図２】
2009011130.tif 000004
【図３】
2009011130.tif 000005
【図４】
2009011130.tif 000006
【図５】
2009011130.tif 000007
【図６】
2009011130.tif 000008
【図７】
2009011130.tif 000009
【図８】
2009011130.tif 000010
【図９】
2009011130.tif 000011
【図１０】
2009011130.tif 000012
【手続補正書】
【提出日】平成22年1月28日(2010.1.28)
【手続補正１】
【補正対象書類名】明細書
【補正対象項目名】全文
【補正方法】変更
【補正の内容】
【発明の詳細な説明】
【技術分野】
【０００１】
本発明は、調理容器を加熱する加熱調理器に関する。特に、複数の操作スイッチを備えて、加熱調理を制御する加熱調理器に関する。
【背景技術】
【０００２】
加熱調理器には、外郭を構成する本体の前面に操作部を設けたものや、調理容器が載置されるトッププレート上に操作部を設けたものがある。また、トッププレート上と本体の前面の両方に操作部を設けたものもある（例えば、特許文献１参照）。操作部は、各々が所定の機能を割り当てられた複数のスイッチにより構成されている。
【先行技術文献】
【特許文献】
【０００３】
【特許文献１】特開２００３−２０８９７２号公報
【発明の概要】
【発明が解決しようとする課題】
【０００４】
近年、加熱調理器に設けられる機能の数が増加してきている。例えば、調理時間を設定するタイマー機能や、湯沸かしや炊飯などを自動で調理する自動調理機能などの機能が、新たに加熱調理器に設けられてきている。これらの各機能は、スイッチにそれぞれ割り当てられており、機能の数の増加に伴い、スイッチの数も増加している。機器の多機能化によりスイッチの数が増えると、操作が複雑になり、全ての機能を必要としないユーザにとっては、目的の操作を行うことが難しくなる。そのため、ユーザの誤操作が増えるという問題があった。このような問題は、特に、多くの機能を必要としない又は十分に使いこなせない使用者にとって重大である。
【０００５】
本発明は上記従来の課題を解決するものであって、複数のスイッチを含む加熱調理器において、加熱調理器の機能の一部しか必要としない使用者にとっても使い勝手のいい加熱調理器を提供することを目的とする。
【課題を解決するための手段】
【０００６】
本発明の加熱調理器は、外郭を構成する本体と、本体の上面に設けた天板と、本体上面に載置された被加熱物を加熱する加熱部と、加熱部の加熱動作を制御する複数の制御モードのうちのひとつを選択する、少なくとも１つの制御モードスイッチと、各制御モードにおいて、設定値を選択する、少なくとも１つの設定スイッチと、制御モードスイッチ及び設定スイッチから入力される制御モード及び設定値に基づいて、加熱部を制御する加熱制御部と、複数の操作モードの中からいずれかの操作モードを選択するための切替えスイッチと、を備え、操作モードは、複数の制御モードの全てを選択可能に設定する第１の操作モードと、複数の制御モードのうち、一部の制御モードのみを選択可能に設定する第２の操作モードと、を含み、加熱制御部は、切替えスイッチで選択された操作モードで選択可能に設定される制御モードに必要な制御モードスイッチ及び設定スイッチのみを使用可能に設定する。これにより、複雑な操作を使いこなして多くの機能を使用しようとするユーザと、単純な機能しか使用しないで簡単な操作を望むユーザと、の両方に対して、簡単に切り替えて対応できる加熱調理器を提供することが可能となる。
【０００７】
上記加熱調理器は、第２の操作モードにおいて使用可能な制御モードスイッチ及び設定スイッチと使用不可能な制御モードスイッチ及び設定スイッチとを区別して報知する第１の報知部をさらに有してもよい。これにより、どのスイッチが操作可能であるかをユーザに知らせることができる。例えば、スイッチそのものを点灯させたり、消灯させたりして、使用可能な制御モードスイッチ及び設定スイッチと使用不可能な制御モードスイッチ及び設定スイッチとを区別して報知してもよい。
【０００８】
第２の操作モードにおいて使用可能な制御モードスイッチ及び設定スイッチは、少なくとも他のひとつの使用可能な制御モードスイッチまたは設定スイッチと隣同士に配置されていることが好ましい。これにより、使用者は、操作可能な制御モードスイッチ及び設定スイッチと、操作不可能な制御モードスイッチ及び設定スイッチとの判別をし易くなる。
【０００９】
第１の操作モードで動作中か第２の操作モードで動作中かを報知する第２の報知部をさらに有し、使用不可能な制御モードスイッチまたは設定スイッチが操作されると、第１の報知部又は第２の報知部の少なくともいずれかが、操作された制御モードスイッチまたは設定スイッチが使用不可能であることを報知してもよい。これにより、使用者が操作不可の制御モードスイッチまたは設定スイッチを誤って操作した時に、誤りであることを使用者に知らせることができる。
【００１０】
切替えスイッチの操作は、制御モードスイッチ及び設定スイッチの操作よりも受け付けにくくしてもよい。これにより、使用者が他のスイッチを操作中に、誤って切替えスイッチに触れたときでも、容易に操作モードが変更されないようにすることができる。
【００１１】
切替えスイッチは電気接点を有する開閉式スイッチであり、制御モードスイッチ及び設定スイッチは静電容量式タッチスイッチであってもよい。これにより、使用者が他のスイッチを操作中に、誤って切替えスイッチに触れたときでも、容易に操作モードが変更されないようにすることができる。
【００１２】
オフ状態で全ての操作ができなくなり、オン状態で少なくともひとつのスイッチが操作可能となる電源スイッチを備え、電源スイッチがオン状態のとき切替えスイッチにより選択されている操作モードを記憶する不揮発性メモリをさらに有し、電源スイッチをオフからオンにすると記憶された操作モードで動作するようにしてもよい。これにより、機器の主電源を切った後も操作モードを記憶することができ、次に主電源を入れたときに、前回設定していた操作モードで起動することができる。
【発明の効果】
【００１３】
本発明によれば、操作モードを切り替える切替えスイッチを設けているため、ユーザは、全ての制御モードを使用できる第１の操作モードと一部の制御モードのみを使用できる第２の操作モードとを選択することが可能となる。これにより、一つの加熱調理器で、全ての機能を使用したいユーザには第１の操作モードで全ての制御モードを提供し、一部の機能のみしか使用しないユーザには第２の操作モードで一部の制御モードのみを提供することが可能となる。よって、複数のスイッチを含む加熱調理器であっても、一部の機能しか必要としないユーザには、切替えスイッチでの切替え操作で、選択可能な制御モードの種類及び操作可能なスイッチの数を低減することができる。これにより、多くの機能を必要としない又は十分に使いこなせない使用者の誤操作を防ぐことができ、このような使用者にとっても使い勝手がよくなる。
【図面の簡単な説明】
【００１４】
【図１】本発明の実施形態１及び２における加熱調理器の全体構造図
【図２】本発明の実施形態１及び２における天面操作部及び天面表示部を示す図
【図３】本発明の実施形態１及び２における前面操作部及び前面表示部を示す図
【図４】本発明の実施形態１の加熱調理器を示すブロック図
【図５】本発明の実施形態１及び２における電源投入後のフルモードの表示例を示す図
【図６】本発明の実施形態１及び２におけるフルモードでの加熱中の表示例を示す図
【図７】本発明の実施形態１及び２における電源投入後のシンプルモードの表示例を示す図
【図８】本発明の実施形態１及び２におけるシンプルモードでの加熱中の表示例を示す図
【図９】本発明の実施形態２の加熱調理器を示すブロック図
【図１０】本発明の実施形態１及び２における電源投入後のシンプルモードの他の表示例を示す図
【発明を実施するための形態】
【００１５】
以下、本発明の実施形態について、図面を参照しながら説明する。なお、本実施形態によって、本発明が限定されるものではない。
【００１６】
（実施形態１）
図１に、本発明の実施形態１の加熱調理器の構成を示す。図１の加熱調理器において、外郭を構成する本体１の上面には、天板である結晶化セラミック製のトッププレート２が配設されている。本体１内のトッププレート２の下方には、トッププレート２上に載置された被加熱物である調理容器４を加熱する加熱部３が配置されている。加熱部３は、図１では、３つ設けられている。これらの加熱部３は、誘導加熱によって調理容器４を加熱する誘導加熱コイルと、誘導加熱には適さない鍋を加熱するラジエントヒータとによりそれぞれ構成されている。また、トッププレート２の表面上には、調理容器４を載置する場所を使用者に示すための加熱表示部５が加熱部３に対向した位置に設けられている。なお、例えば、ガス調理器であれば、機器の上面を形成するトッププレート２に貫通穴を設け、ガスバーナーをその貫通穴の部分に配設して加熱部としてもよい。この場合には、被加熱物は、本体上面を形成するガスバーナーに載置される。
【００１７】
トッププレート２と略同一面には、加熱部３の加熱開始及び停止などの指令が割り当てられたスイッチを有する天面操作部６が設けられている。また、トッププレート２上には天面操作部６の操作に応じて各種状態を表示する天面表示部７が設けられている。天面表示部７は、液晶及びＬＥＤ等により、各種状態を使用者に知らせる報知部である。例えば、天面表示部７は、操作不可に設定しているスイッチが操作されたときに、そのスイッチが操作できないことを、ＬＥＤの点滅等により、使用者に知らせる。
【００１８】
本体１の前面には、開閉収納式の前面操作部８と、前面操作部８の操作に応じて各種状態を表示する前面表示部９が設けられている。前面表示部９は、液晶及びＬＥＤ等により、各種状態を使用者に知らせる報知部である。
【００１９】
図２に、トッププレート２上に設けられた天面操作部６及び天面表示部７を示す。天面操作部６は、トッププレート２の裏面に電極を設け、その電極に高周波電圧を加えることにより、トッププレート２表面に触れることでスイッチ操作を行う静電容量式のタッチスイッチを形成する。天面操作部６は、加熱調理器の制御モードを天面操作部６内のスイッチ６ｂ〜６ｇのスイッチ操作を可能な制御モードに変更する機能が割り当てられたロック解除スイッチ６ａ、加熱モードにおいて調理時間（設定値）を設定すると同時にタイマーモードに移行するためのタイマースイッチ６ｂ、湯沸かし及び炊飯を自動で行う制御モードを選択する機能が割り当てられた自動スイッチ６ｃ、揚げ物調理モードを選択する時に使用される揚物切／入スイッチ６ｄ、火力や温度（設定値）を下げるためのダウンスイッチ６ｅ、火力や温度（設定値）を上げるためのアップスイッチ６ｆ、及び停止モードから加熱モードに変更するとともに加熱モードから停止モードに変更する加熱切／入スイッチ６ｇを含む。
【００２０】
本実施形態の加熱調理器は、ロック解除モード、タイマーモード、自動調理モード、揚げ物モード、及び加熱モードを含む制御モードを有し、ロック解除スイッチ６ａ、自動スイッチ６ｃ、揚物切／入スイッチ６ｄ、及び加熱切／入スイッチ６ｇは、制御モードを選択する制御モードスイッチに相当する。タイマースイッチ６ｂ、ダウンスイッチ６ｅ、及びアップスイッチ６ｆは、各制御モードにおいて、設定値を選択する設定スイッチである。なお、タイマースイッチ６ｂは、上記のように設定スイッチであると同時に、タイマーモードに移行するための制御モードスイッチを兼ねている。このように、設定スイッチと制御モードスイッチを兼用させるようにしても良い。
【００２１】
図３に、本体１の前面に設けられた前面操作部８及び前面表示部９を示す。前面操作部８は、加熱調理器の全ての機能を使用可能にする第１の操作モード（以下、「フルモード」ともいう。）と、使用可能な機能を制限する第２の操作モード（以下、「シンプルモード」ともいう。）と、を切り替える切替えスイッチ８ａを含む。フルモードでは、全ての制御モードが選択可能に設定され、天面操作部６の全てのスイッチ６ａ〜６ｇが使用可能に設定される。シンプルモードでは、制御モードのうちの加熱モードのみが選択可能に設定され、加熱モードで使用されるダウンスイッチ６ｅ、アップスイッチ６ｆ、及び加熱切／入スイッチ６ｇのみが使用可能に設定される。
【００２２】
図４に、本実施形態の加熱調理器の構成をブロック図で示す。本実施形態の加熱調理器は、加熱部３を制御するとともに、切替えスイッチ８ａの操作に基づいて使用可能な制御モードの数を切り替える加熱制御部１０を有する。加熱制御部１０は、天面操作部６と前面操作部８のスイッチ操作に基づいて、加熱部３を制御する。加熱制御部１０は、切替えスイッチ８ａによって選択されている操作モードに応じて、天面操作部６で選択可能な制御モードを設定し、さらに、その制御モードの実行に必要な設定スイッチのみを操作可能とするように切り替えると共に、天面表示部７において操作可能な制御モードスイッチ及び設定スイッチを表示し、前面表示部９において現在選択されている操作モードを示す表示を行うように、切り替える。
【００２３】
本実施形態においては、切替えスイッチ８ａが３秒間以上押し続けられると、加熱制御部１０は、切替えスイッチ８ａの操作を受け付けて、フルモードからシンプルモード、又はシンプルモードからフルモードに切り替える。天面操作部６及び前面操作部８に含まれる切替えスイッチ８ａ以外のスイッチについては、１秒間以上押し続けられたときに、加熱制御部１０はそのスイッチの操作を受け付ける。
【００２４】
図５（ａ）に電源スイッチ１５投入時の天面操作部６及び天面表示部７の状態を示し、図５（ｂ）に電源スイッチ１５投入時の前面操作部８及び前面表示部９の状態を示す。加熱調理器は、電源スイッチ１５が投入されると、加熱調理器の全ての制御モードが選択可能なフルモードで起動する。このとき、ロック解除モード、タイマーモード、自動調理モード、揚げ物モード、加熱モードは全て選択可能に設定され、天面表示部７の全てのスイッチ６ａ〜６ｇは使用可能に設定され、図５（ａ）に示すように、天面表示部７の全てのスイッチの上部に、発光素子による表示５０を行い、全てのスイッチ６ａ〜６ｇが操作可能であることを示す。このとき、図５（ｂ）に示すように、前面表示部９にフルモードであることを示す「Ｆモード」の文字が表示される。
【００２５】
フルモードが選択されているときにおける、調理容器４の加熱を開始する操作（加熱モードを開始する操作）は、ロック解除スイッチ６ａを操作し（手順１）、加熱切／入スイッチ６ｇを操作する（手順２）、という手順で行われる。前面操作部８の切替えスイッチ８ａが操作されてシンプルモードが選択されていないときは、ロック解除スイッチ６ａが使用可能な状態であるため、加熱制御部１０は、ロック解除スイッチ６ａの操作を受け付けた後、加熱切／入スイッチ６ｇの操作を受け付けたときに、加熱部３を制御して、加熱を開始する。
【００２６】
図６（ａ）に、フルモードにおいて加熱モードが選択されて加熱中である場合の天面操作部６及び天面表示部７の状態を示し、図６（ｂ）にフルモードにおいて加熱モードが選択されて加熱中である場合の前面操作部８及び前面表示部９の状態を示す。加熱中は、天面表示部７に、火力設定値７ｂとタイマー設定時間７ａが表示される。フルモードにおいて、加熱モードが選択されて加熱される場合、ダウンスイッチ６ｅ（設定スイッチ）とアップスイッチ６ｆ（設定スイッチ）の操作による火力設定値の選択機能と、タイマースイッチ６ｂ（設定スイッチ）による調理タイマーの時間設定値の選択機能と、加熱切／入スイッチ６ｇ（制御モードスイッチ）による加熱の停止機能とが、利用可能となる。操作可能なスイッチ６ａ、６ｂ、６ｅ、６ｆ、６ｇの上部の天面表示部７には、発光素子による表示５０を行う。表示５０のないスイッチ６ｃ及び６ｄが操作されたとしても、制御部１０はその操作を受け付けない。このように、フルモードでは、選択されている制御モード（図６の場合、加熱モード）に応じて、使用可能な制御モードスイッチ及び設定スイッチと使用不可能な制御モードスイッチ及び設定スイッチとを区別して報知する。
【００２７】
表示５０のないスイッチが１秒間以上操作された場合は、天面表示部７により操作したスイッチが操作不可であることをユーザに知らせる。例えば、天面表示部７は、使用不可能なスイッチが操作されたときに、その操作されたスイッチに対応する表示５０を所定時間、点滅させる。
【００２８】
図７（ａ）に電源投入後シンプルシンプルモードに切り替えられたときの天面操作部６及び天面表示部７の状態を示し、図７（ｂ）に電源投入後シンプルシンプルモードに切り替えられたときの前面操作部８及び前面表示部９の状態を示す。電源投入後、前面操作部８の切替えスイッチ８ａが操作されると、加熱調理器はフルモードからシンプルモードに移行する。シンプルモードのときは、加熱モードのみ選択可能とし、加熱モードで使用するダウンスイッチ６ｅ、アップスイッチ６ｆ、及び加熱切／入スイッチ６ｇのみを使用可能とし、これらのスイッチ６ｅ、６ｆ、６ｇの上部に発光素子により、使用可能であることを示す表示５０を行う。これにより、表示５０のないスイッチ６ａ、６ｂ、６ｃ、６ｄは操作できないことを示す。このように、シンプルモードにおいても、使用可能な制御モードスイッチ及び設定スイッチと使用不可能な制御モードスイッチ及び設定スイッチとを区別して報知する。更に、シンプルモードのときは、前面表示部９にシンプルモードであることを示す「Ｓモード」の文字を表示する。
【００２９】
図７（ａ）に示すように、シンプルモードのときに操作が有効となるダウンスイッチ６ｅ、アップスイッチ６ｆ、及び加熱切／入スイッチ６ｇは、少なくとも１つの、操作が有効となるスイッチと隣合わせに配置されている。これにより、使用者は、操作可能な制御モードスイッチ及び設定スイッチと、操作不可能な制御モードスイッチ及び設定スイッチの判別をし易くなる。
【００３０】
シンプルモードのときの、調理容器４の加熱を開始する操作（加熱モードを開始する操作）は、加熱切／入スイッチ６ｇを操作する（手順１）のみによって行われる。シンプルモードのときは、加熱制御部１５は、ロック解除スイッチ６ａを使用不可能に設定しているため、加熱制御部１０は、加熱切／入スイッチ６ｇの操作を受け付けると、すぐに加熱部３を制御して加熱を開始する。シンプルモードでは、ロック解除スイッチ６ａは使用不可能に設定しているため、例えば加熱切／入スイッチ６ｇの操作の前にロック解除スイッチ６ａの操作が行われても、加熱制御部１０は、ロック解除スイッチ６ａの操作を受け付けず、天面表示部７は何も変化しない。
【００３１】
図８（ａ）に、シンプルモードにおいて加熱モードが選択されて加熱中の天面操作部６及び天面表示部７の状態を示し、図８（ｂ）にシンプルモードにおいて加熱モードが選択されて加熱中の前面操作部９及び前面表示部８の状態を示す。シンプルモードのとき、加熱中は、天面表示部７に火力設定値７ｂを表示する。シンプルモードでは、タイマー機能が使用できないため、図６（ａ）に示すタイマー設定時間７ａは表示されない。シンプルモードにおける加熱時は、ダウンスイッチ６ｅ、アップスイッチ６ｆの操作による火力の調節機能と、加熱切／入スイッチ６ｇによる加熱の停止機能とが利用可能となる。操作可能なスイッチの上部の天面表示部７には、発光素子による表示５０を行う。加熱制御部１０は、表示５０のないスイッチを操作しても、操作を受け付けない。
【００３２】
このように、本実施形態では、切替えスイッチ８ａの操作により、選択可能な制御モードの数を変え、その制御モードに必要なスイッチのみを使用可能としている。よって、加熱を開始する操作手順も選択された操作モードに応じて変化する。
【００３３】
以上により、全ての機能を使用したいユーザは、電源投入後切替えスイッチ８ａを操作せず、前面表示部９に「Ｆモード」と表示された状態で操作を行うことで、使用できるスイッチの数が多いまま、多くの機能を利用できる状態で、加熱を行うことができる。
【００３４】
全ての機能を使用する必要がなく、簡単な操作で加熱を行いたいユーザは、切替えスイッチ８ａを操作して、前面表示部７に「Ｓモード」と表示された状態で操作を行うことで、使用できるスイッチの数を減らし、より簡単な操作によって、加熱や火力の調節を行うことができる。
【００３５】
このように同一の機器であっても、選択可能な制御モードの数を変更し、その制御モードに必要なスイッチのみを使用可能とすることにより、操作手順を簡略化したり、簡略化をやめ元に戻したりする変更を容易に行うことができる。よって、複雑な操作に耐えられるユーザは多くの機能を利用できるようにしつつ、複雑な操作ができないユーザには簡単な操作手順を提供することが可能となる。これにより、十分に使いこなせない使用者の誤操作を防止でき、加熱調理器の機能の一部しか必要としない使用者にとっても使い勝手のいい加熱調理器を実現できる。
【００３６】
また、操作不可に設定しているスイッチが操作されたときに、天面表示部７により使用者に知らせることにより、正しい操作を促すことができる。
【００３７】
さらに、シンプルモードにおいて、操作可能なスイッチは少なくとも他の操作可能なスイッチと隣り合うように配置したことにより、使用可能な複数のスイッチがグループ化され、使用者は操作可能なスイッチと操作不可能なスイッチとをより簡単に区別することができるようになる。よって、操作がし易くなる。
【００３８】
また、切替えスイッチ８ａの操作の受け付けに要する時間（３秒）を、天面操作部６のスイッチ６ａ〜６ｇの操作の受け付けに要する時間（１秒）より、長くしたことにより、切替えスイッチ８ａの操作は、制御モードスイッチ６ａ、６ｃ、６ｄ、６ｇ及び設定スイッチ６ｂ、６ｅ、６ｆの操作よりも受け付けにくくなる。これにより、不用意に切替えスイッチ８ａが操作されることを防ぐことができる。よって、ユーザが知らないうちに切替えスイッチ８ａを操作してしまうことを防ぐことができる。
【００３９】
なお、本実施形態では、スイッチの受付に要する時間を、天面操作部６のスイッチ６ａ〜６ｇと切替えスイッチ８ａとについて、１秒間と３秒間にそれぞれ設定したが、この時間は本実施形態に限定されない。また、スイッチの受付に要する操作回数についても任意に設定できる。例えば、スイッチを一定時間内で複数回操作されたときに、スイッチに割り当てられた機能を実行してもよい。この場合に、切替えスイッチ８ａの一定時間内における受け付けに要する操作回数（例えば２回）を、天面操作部６のスイッチ６ａ〜６ｇの受け付けに要する操作回数（例えば１回）より多くすることにより、切替えスイッチ８ａの操作を、制御モードスイッチ６ａ、６ｃ、６ｄ、６ｇ及び設定スイッチ６ｂ、６ｅ、６ｆの操作より受付け難くすることができる。また、切替えスイッチ８ａと他のスイッチとを同時に操作した場合に、他のスイッチを受付け、切替えスイッチ８ａを受付けないようにすることで、切替えスイッチ８ａを他のスイッチより受付け難くすることができる。
【００４０】
なお、本実施形態においては、天面表示部７が、操作不可に設定しているスイッチが操作されたときに、そのスイッチが操作できないことを使用者に知らせたが、天面表示部７に代えて、前面表示部９が、スイッチが操作できないことを使用者に知らせてもよい。
【００４１】
切替えスイッチ８ａの操作は、いつでも行えるようにしても良いし、操作可能なタイミングを制限してもよい。例えば、電源投入後の所定時間内にのみ、操作できるようにしてもよい。
【００４２】
また、本実施形態では、切替えスイッチ８ａによって、フルモードからシンプルモードへの切り替えとシンプルモードからフルモードへの切り替えとを可能にしたが、切替えスイッチ８ａの操作によってフルモードからシンプルモードへの切り替えのみを可能とし、加熱調理器の電源を入れるたびに、フルモードに戻るようにしてもよい。
【００４３】
なお、本実施形態では、加熱調理器は、フルモードとシンプルモードの二つの操作モードを有していたが、操作モードは３つ以上あってもよい。それぞれの操作モードに応じて、使用可能な機能を設定してもよい。
【００４４】
（実施形態２）
図９に、実施形態２の加熱調理器の構成を示す。実施形態１の加熱調理器は、電源投入時はフルモードで起動したが、実施形態２の加熱調理器は記憶していた操作モード（すなわち、前回設定されていた操作モード）で起動する。
【００４５】
本実施形態の加熱調理器は、実施形態１の構成に加え、加熱制御部１０と通信を行う不揮発性メモリ１１をさらに有する。不揮発性メモリ１１は、加熱調理器がシンプルモードで動作中か、フルモードで動作中かを記憶する。
【００４６】
本実施形態では、加熱調理器の主電源がユーザによって切られるときに、加熱制御部１０は不揮発性メモリ１１に、機器の動作状態（フルモード又はシンプルモードを示す動作状態）を記録する。次に、加熱調理器の主電源が入れられると、加熱制御部１０は、不揮発性メモリ１１から電源スイッチ１５を切る前の機器の状態を読み込む。読み込んだ状態が、例えばシンプルモードであれば、図７に示すように、ダウンスイッチ６ｅ、アップスイッチ６ｆ、加熱切／入スイッチ６ｇの上部の天面表示部７に発光素子による表示５０を行って、ダウンスイッチ６ｅ、アップスイッチ６ｆ、加熱切／入スイッチ６ｇのみが操作可能であることを示し、それ以外のスイッチは操作できないことを示す。更に、前面表示部９に「Ｓモード」と表示する。
【００４７】
このように、本実施形態においては、加熱調理器の電源スイッチ１５を切っても、切る前の操作モードが記憶されるため、電源投入後に、毎回、切替えスイッチ８ａを操作する手間が省ける。
【００４８】
なお、実施形態１及び実施形態２においては、使用可能なスイッチを表示５０によって示したが、天面操作部６は、全ての複数のスイッチ６ａ〜６ｇに対応したバックライトを各スイッチの下方に備え、使用可能なスイッチのみを報知するようにしてもよい。この場合における電源投入後のシンプルモードの表示例を図１０に示す。使用可能なスイッチ６ｅ、６ｆ、６ｇの下方に設けたバックライトを点灯することにより、スイッチ６ｅ、６ｆ、６ｇのみを表示し、使用不可能なスイッチ６ａ、６ｂ、６ｃ、６ｄの下方に設けたバックライトを消灯することにより、スイッチ６ａ、６ｂ、６ｃ、６ｄを消灯してもよい。この構成にすれば、使用者が誤って、使用不可能なスイッチを操作することがない。
【００４９】
また、実施形態１及び実施形態２においては、自動スイッチ６ｃ、揚物切／入スイッチ６ｄ、加熱切／入スイッチ６ｇを、制御モードスイッチとして個別に設けたが、この構成に限定されない。例えば、制御モードスイッチとして「メニュースイッチ」（図示せず）を設けて、当該スイッチを操作するごとに選択される制御モードがローテーションして変更される構成とし、選択後に加熱切／入りスイッチを操作して加熱開始させてもよい。このように、制御モードを移行させるのに２つ以上の制御モードスイッチを操作させるようにしてもよい。
【００５０】
なお、実施形態１及び実施形態２においては、加熱部３が加熱コイルで構成された誘導加熱調理器で説明したが、この種の加熱調理器に限定されるものではない。加熱部をラジエント方式、ハロゲンランプ方式、またはガス方式とした加熱調理器でもよい。
【産業上の利用可能性】
【００５１】
本発明の加熱調理器は、多機能で多スイッチを有する機器において、基本的な機能しか使用しないユーザが使用し易くなるという効果を有するため、多機能で多スイッチを有する機器等に有用である。
【符号の説明】
【００５２】
１      本体
２      トッププレート（天板）
３      加熱部
４      調理容器（被加熱物）
６      天面操作部
６ａ    ロック解除スイッチ（制御モードスイッチ）
６ｂ    タイマースイッチ（設定スイッチ、制御モードスイッチ）
６ｃ    自動スイッチ（制御モードスイッチ）
６ｄ    揚物切／入スイッチ（制御モードスイッチ）
６ｅ    ダウンスイッチ（設定スイッチ）
６ｆ    アップスイッチ（設定スイッチ）
６ｇ    加熱切／入スイッチ（制御モードスイッチ）
７      天面表示部
８      前面操作部
８ａ    切替えスイッチ
９      前面表示部
１０    加熱制御部
１５    電源スイッチ
【手続補正２】
【補正対象書類名】特許請求の範囲
【補正対象項目名】全文
【補正方法】変更
【補正の内容】
【特許請求の範囲】
【請求項１】
外郭を構成する本体と、
前記本体の上面に設けた天板と、
前記本体上面に載置された被加熱物を加熱する加熱部と、
前記加熱部の加熱動作を制御する複数の制御モードのうちのひとつを選択する、少なくとも１つの制御モードスイッチと、
前記各制御モードにおいて、設定値を選択する、少なくとも１つの設定スイッチと、
前記制御モードスイッチ及び前記設定スイッチから入力される前記制御モード及び前記設定値に基づいて、前記加熱部を制御する加熱制御部と、
複数の操作モードの中からいずれかの操作モードを選択するための切替えスイッチと、を備え、
前記操作モードは、前記複数の制御モードの全てを選択可能に設定する第１の操作モードと、前記複数の制御モードのうち、一部の制御モードのみを選択可能に設定する第２の操作モードとを、含み、
前記加熱制御部は、前記切替えスイッチで選択された前記操作モードで選択可能に設定される制御モードに必要な制御モードスイッチ及び設定スイッチのみを使用可能に設定する加熱調理器。
【請求項２】
前記第２の操作モードにおいて使用可能な制御モードスイッチ及び設定スイッチと使用不可能な制御モードスイッチ及び設定スイッチとを区別して報知する第１の報知部をさらに有する、請求項１に記載の加熱調理器。
【請求項３】
前記第２の操作モードにおいて使用可能な、制御モードスイッチ及び設定スイッチは、少なくとも他のひとつの使用可能な、制御モードスイッチまたは設定スイッチと隣同士に配置されている、請求項１に記載の加熱調理器。
【請求項４】
前記第１の操作モードで動作中か前記第２の操作モードで動作中かを報知する第２の報知部をさらに有し、
前記使用不可能な制御モードスイッチまたは設定スイッチが操作されると、前記第１の報知部又は前記第２の報知部の少なくともいずれかが、操作された前記制御モードスイッチまたは設定スイッチが使用不可能であることを報知する、請求項２に記載の加熱調理器。
【請求項５】
前記切替えスイッチの操作は、前記制御モードスイッチ及び前記設定スイッチの操作よりも受け付けにくくする、請求項１に記載の加熱調理器。
【請求項６】
前記切替えスイッチは電気接点を有する開閉式スイッチであり、前記制御モードスイッチ及び前記設定スイッチは静電容量式タッチスイッチである、請求項１に記載の加熱調理器。
【請求項７】
オフ状態で全ての操作ができなくなり、オン状態で少なくともひとつのスイッチが操作可能となる電源スイッチを備え、
前記電源スイッチがオン状態のとき前記切替えスイッチにより選択されている前記操作モードを記憶する不揮発性メモリをさらに有し、
前記電源スイッチをオフからオンにすると記憶された前記操作モードで動作する、請求項１に記載の加熱調理器。
【手続補正３】
【補正対象書類名】図面
【補正対象項目名】全図
【補正方法】変更
【補正の内容】
【図１】
2009011130.tif 000013
【図２】
2009011130.tif 000014
【図３】
2009011130.tif 000015
【図４】
2009011130.tif 000016
【図５】
2009011130.tif 000017
【図６】
2009011130.tif 000018
【図７】
2009011130.tif 000019
【図８】
2009011130.tif 000020
【図９】
2009011130.tif 000021
【図１０】
2009011130.tif 000022
【国際調査報告】
2009011130.tif 000023
2009011130.tif 000024